(57)【特許請求の範囲】
【請求項１】
建物の構造材側に固定される縦部分と、野縁に固定される横部分とを備えてなると共に、この縦部分の内面と横部分の上面とがなす角度を９０度よりわずかに小さくしたブラケットの前記横部分に野縁の端部を取り付けると共に、
前記構造材側に前記野縁の端部の支持部材を取り付け、
この支持部材上に野縁の端部を位置させた状態から、前記ブラケットの縦部分を前記構造材側に固定することを特徴とする野縁の取り付け方法。
【発明の詳細な説明】
【技術分野】
【０００１】
この発明は、建物の天井を構成する野縁の取り付け方法に関する。
【背景技術】
【０００２】
天井野縁は、一般に、吊木によって上の階の床の下方に取り付けられる。その典型的な構造を図６に示す。図中符号１００は床下地板、符号１０１は床受け用梁、符号１０２は吊木受け梁、符号１０３は吊木、符号１０４は野縁、符号１０５は天井板である。吊木１０３は、上の階の振動を下の階に伝えないように、上の階の床下地板１００を支持する床受け用梁１０１とは別個の吊木受け梁１０２によって支持される。
【発明の概要】
【発明が解決しようとする課題】
【０００３】
この発明が解決しようとする主たる問題点は、建物の天井を構成する野縁を、吊木を用いることなく、容易かつ適切に建物の構造材側に取り付け可能とする点にある。
【課題を解決するための手段】
【０００４】
前記課題を達成するために、この発明にあっては、野縁の取り付け方法を、建物の構造材側に固定される縦部分と、野縁に固定される横部分とを備えてなると共に、この縦部分の内面と横部分の上面とがなす角度を９０度よりわずかに小さくしたブラケットの前記横部分に野縁の端部を取り付けると共に、
前記構造材側に前記野縁の端部の支持部材を取り付け、
この支持部材上に野縁の端部を位置させた状態から、前記ブラケットの縦部分を前記構造材側に固定するものとした。
【０００５】
かかる取り付け方法によれば、第一に、吊木及び吊木受け梁を上の階の床と下の階の天井との間に配置することなく、上の階の床を支える床受け用梁から独立した状態で、その下方に野縁を配置させることができる。従って、第二に、上の階の床と下の階の天井との間の距離を最小化して下の階の天井高を最大化することができ、また、第三に、前記床受け用梁に平行をなす向きにも、この床受け用梁に直交する向きにも、支障なく野縁を配置させることができる。また、第四に、前記ブラケットの縦部分の内面と横部分の上面とがなす角度は９０度よりわずかに小さいことから、縦部分を建物の構造材側に固定することで野縁に上方に向けた反りをつけることができ、これによって吊木を用いることなく天井にいわゆるムクリを付けることができる。
【発明の効果】
【０００６】
この発明によれば、建物の天井を構成する野縁を、吊木を用いることなく、容易かつ適切に建物の構造材側に取り付けることができる。
【図面の簡単な説明】
【０００７】
【図１】図１は実施の形態にかかる野縁の取り付け方法に利用されるブラケットの斜視図である。
【図２】図２は前記取り付け方法により取り付けられた野縁を含んで構成された天井の断面構成図である。
【図３】図３は前記取り付け方法により取り付けられた野縁を含んで構成された天井の断面構成図であり、図２と９０度異なる向きからかかる天井を断面にしている。
【図４】図４は図２の要部を拡大して示した断面構成図である。
【図５】図５は前記ブラケットを構造材側に固定する直前の状態を示した断面構成図である。
【図６】図６は従来の天井の構造を示した断面構成図である。
【発明を実施するための形態】
【０００８】
以下、図１〜図５に基づいて、この発明の典型的な実施の形態について、説明する。この実施の形態にかかる野縁１の取り付け方法は、吊木及び吊木受け梁を用いずに、野縁１の端部１ａを建物の構造材２側に固定させるものである。
【０００９】
かかる取り付け方法は、建物の構造材２側に固定される縦部分３０と、野縁１に固定される横部分３１とを備えてなると共に、この縦部分３０の内面３０ａと横部分３１の上面３１ａとがなす角度を９０度よりわずかに小さくしたブラケット３を用いてなされる。一本の野縁１は、その一端部１ａと他端部１ａとをそれぞれ、かかるブラケット３を介して前記構造材２側に固定する。
【００１０】
図示の例では、かかるブラケット３は、鋼板から構成できるようになっている。縦部分３０及び横部分３１はいずれもは長方形の板状をなしている。かかる縦部分３０及び横部分３１は同じ幅に構成され、図示の例では、取り付け対象となる角材としての野縁１の幅寸法と略一致している。横部分３１は縦部分３０より長い。かかる縦部分３０と横部分３１とは、縦部分３０の幅側の一辺を横部分３１の幅側の一辺に連接させることで一体化されている。ブラケット３はかかる縦部分３０と横部分３１との連接箇所において略９０度に屈曲されたＬ字状を呈している。また、縦部分３０と横部分３１とは、補強部分３２によっても一体化されている。図示の例では、補強部分３２は、直角を挟んだ一辺を縦部分３０の長さと等しい長さとし、かつ、他辺を横部分３１の長さと等しい長さとした、直角三角形の板状をなしている。そして、補強部分３２と縦部分３０とは、補強部分３２の一辺を縦部分３０の長さ側の一辺に連接させることで一体化され、補強部分３２と横部分３１とは、補強部分３２の他辺を横部分３１の長さ側の一辺に連接させることで一体化されている。かかる縦部分３０の内面３０ａと横部分３１の上面３１ａとがなす角度は、典型的には、８９度以上９０度未満としておく。図示の例では、縦部分３０と横部分３１にはそれぞれ、釘Ｊやビスの通し穴３３が形成されている。縦部分３０はこの通し穴３３を通じて建物の構造材２側、すなわち、柱や柱間に架設される横架材に打ち込まれる釘Ｊなどによりこの構造材２側に固定され、横部分３１はこの通し穴３３を通じて野縁１に打ち込まれる釘Ｊなどによりこの野縁１に固定されるようになっている。横部分３１は、野縁１を床受け用梁４に直交する向きに配する場合、この横部分３１の先端が壁に隣り合う床受け用梁４近傍に達する長さにしておくことが好ましい。図示の例とは別に、前記補強部分３２の形成側と反対の側において、前記縦部分３０の長さ側の他辺及び横部分３１の長さ側の他辺を両者の連接箇所も含めて上向きに突き出すリブによって縁取るようにしておいても良い。
【００１１】
このように構成されるブラケット３の横部分３１に野縁１の端部１ａを取り付ける。図示の例では、横部分３１の長さ方向に野縁１の長さ方向を沿わせ、かつ、野縁１の端末を縦部分３０と横部分３１との連接箇所近傍に位置づけた状態で、この横部分３１の下面３１ｃに野縁１の上面を添装し、横部分３１の上面３１ａ側から野縁１に前記のように釘などを打ち込むことで野縁１の端部１ａにブラケット３の横部分３１が取り付けられるようになっている。かかる野縁１としては、角筒状をなす金属製のものを利用することもでき、この場合にはブラケット３と野縁１とはビスによって止め合わされる。
【００１２】
そして、この実施の形態にかかる取り付け方法にあっては、前記構造材２側に前記野縁１の端部１ａの支持部材５を取り付け、次いで、この支持部材５上に野縁１の端部１ａを位置させた状態から前記ブラケット３の縦部分３０を前記構造材２側に固定する。
【００１３】
図示の例では、前記支持部材５を、屈曲部５０ａを挟んだ一方側を構造材２側に固定させたアングル材５０としている。図示の例では、このアングル材５０の屈曲部５０ａを挟んだ他方側によってブラケット３の取り付けられた野縁１の端部１ａを下方から支持するようにしている。このように野縁１の端部１ａを支持させた状態から、縦部分３０の内面３０ａ側から構造材２側に前記のように釘Ｊなどを打ち込むことで構造材２側にブラケット３の縦部分３０が取り付けられるようになっている。図示の例では、ブラケット３の横部分３１が水平に配されるようにした状態から、（図５）縦部分３０の外面が垂直に配されるまで前記釘などの打ち込みを行うと、（図６）ブラケット３に支持される野縁１には上方に向けた反りがつけられるようになっている。図中符号６はブラケット３の縦部分３０と構造材２との間に介装される弾性材よりなるスペーサーである。
【００１４】
一本の野縁１は、両端部１ａ、１ａにそれぞれ取り付けられた前記ブラケット３を介して、対向位置にある前記構造材２間に架設される。このように架設されると共に、隣り合う野縁１との間に所定の間隔を開けて平行に配される複数の野縁１、１…を使って天井板７の張り込みがなされる。図中符号８は床下地板である。
【００１５】
この実施の形態にかかる取り付け方法によれば、第一に、吊木及び吊木受け梁を上の階の床と下の階の天井との間に配置することなく、上の階の床を支える床受け用梁４から独立した状態で、その下方に野縁１を配置させることができる。従って、第二に、上の階の床と下の階の天井との間の距離を最小化して下の階の天井高を最大化することができ、また、第三に、前記床受け用梁４に平行をなす向きにも、この床受け用梁４に直交する向きにも、支障なく野縁１を配置させることができる。また、第四に、前記ブラケット３の縦部分３０の内面３０ａと横部分３１の上面３１ａとがなす角度は９０度よりわずかに小さいことから、縦部分３０を建物の構造材２側に固定することで野縁１に上方に向けた反りをつけることができ、これによって吊木を用いることなく天井にいわゆるムクリ（天井に付与される、その中央側を上とする若干の傾斜）を付けることができる。
【図１】
0005723817.tif 000002
【図２】
0005723817.tif 000003
【図３】
0005723817.tif 000004
【図４】
0005723817.tif 000005
【図５】
0005723817.tif 000006
【図６】
0005723817.tif 000007